(57)【特許請求の範囲】
【請求項１】
電子メールの読み取り及び作成が可能な子機との通信を行う通信手段と、
インターネット上で電子メールの送受信を行う電子メール送受信手段と、
印字手段と、
を備え、
前記電子メール送受信手段は、受信した電子メールに関する情報のうち、特定の情報のみを抽出し、前記通信手段は当該抽出された特定の情報のみを前記子機に転送するとともに、前記子機からの印字指令を受信した場合には、前記転送した特定の情報以外の情報を前記印字手段に出力し、印字処理を行わせることを特徴とする電子機器。
【請求項２】
前記特定の情報は、少なくとも送信者、件名、及び電子メール本文であることを特徴とする請求項１記載の電子機器。
【請求項３】
前記電子メール送受信手段は、前記子機から特定の情報のみを受信し、当該特定の情報に必要な情報を付加して、前記インターネット上に電子メールとして送信することを特徴とする請求項１または２記載の電子機器。
【請求項４】
前記特定の情報は、少なくとも送信先、件名、及び電子メール本文であることを特徴とする請求項３記載の電子機器。
【請求項５】
子機を有し、インターネット上に配されたメールサーバと電子メールの送受信を行う電子機器における当該電子メールの処理方法であって、
前記電子機器が前記メールサーバから電子メールの受信を行う工程と、
前記電子機器が受信した電子メールに関する情報のうち、特定の情報のみを抽出する工程と、
前記電子機器が前記抽出した特定の情報を、電子メールの読み取り及び作成が可能な前記子機に対して転送する工程と、
前記電子機器が前記子機からの印字指令に応じて、前記転送した特定の情報以外の情報についての印字処理を行う工程と、
を備えたこと特徴とする電子機器における電子メール情報の処理方法。
【請求項６】
前記特定の情報のみを抽出する工程は、前記電子機器が少なくとも送信者、件名、及び電子メール本文の情報を抽出する工程であることを特徴とする請求項５記載の電子機器における電子メール情報の処理方法。
【請求項７】
前記電子機器が前記子機から特定の情報のみを受信する工程と、
前記電子機器が当該特定の情報に必要な情報を付加して、前記インターネット上に電子メールとして送信する工程と、
を備えたことを特徴とする請求項５または６記載の電子機器における電子メール情報の処理方法。
【請求項８】
前記子機から特定の情報のみを受信する工程は、前記電子機器が少なくとも送信先、件名、及び電子メール本文の情報を受信する工程であることを特徴とする請求項７記載の電子機器における電子メール情報の処理方法。
【発明の詳細な説明】
【０００１】
【発明の属する技術分野】
本発明は、親機と子機との間で通信が可能であり、更に親機と子機の双方において、電子メールの送信及び受信が可能な電子機器、及びその電子機器における電子メール情報の処理方法の技術分野に属するものである。
【０００２】
【従来の技術】
従来、外線に接続された親機であるファクシミリ装置と、この親機を介して外線との通話が可能な子機とを備える親子電話機が知られている。
【０００３】
特に、最近ではＷＷＷ（World Wide Web）情報等をファクシミリ画像に変換し、あるいは電子メール等をファクシミリ装置で送受信可能なサービス機能を持った電話通信システムが提案され、コードレス親子電話機で一部実用化がなされている。
【０００４】
このような機能を持った親子電話機においては、子機からのリモートコントロール操作によって上述のようなＷＷＷ情報等をファクシミリ情報として親機に出力させるように構成することができる。
【０００５】
また、同様に、親機でインターネット上から受信した電子メールを、子機に送信したり、子機から親機に送信した電子メールを、親機を介してインターネット上に送信することもできる。
【０００６】
【発明が解決しようとする課題】
しかしながら、インターネットで用いられている電子メールは、実際のメッセージ本文、あるいは送信者及び受信者、もしくは送信日時等の情報の他にも、どのようなサーバーを経由して送信されて来たか、あるいはどのようなフォーマットの電子メールか等の極めて多くの情報を有している。
【０００７】
従って、親機で受信した上述のような電子メールに係る情報を、そのまま子機に送信する場合には、親機から子機への送信情報量が膨大になり、また子機にとって不必要な情報まで送信することになるので、無駄が多かった。
【０００８】
また、同様に、子機から親機を介して電子メールを送信する場合であっても、インターネット上に電子メールを送信するためには、上述のような詳細な情報を付加して送信することが必要であり、子機から親機に対する送信情報量が膨大になり、子機と親機の間の通信に極めて大きな負荷がかかるという問題があった。
【０００９】
そこで、本発明は、このような問題点を解決し、親機と子機の間で電子メール情報を送受信する場合でも、親機と子機の間の通信に負荷をかけることのない電子機器及びその電子機器における電子メール情報の処理方法を提供することを課題としている。
【００１０】
【課題を解決するための手段】
請求項１記載の電子機器は、電子メールの読み取り及び作成が可能な子機との通信を行う通信手段と、インターネット上で電子メールの送受信を行う電子メール送受信手段と、印字手段と、を備え、前記電子メール送受信手段は、受信した電子メールに関する情報のうち、特定の情報のみを抽出し、前記通信手段は当該抽出された特定の情報のみを前記子機に転送するとともに、前記子機からの印字指令を受信した場合には、前記転送した特定の情報以外の情報を前記印字手段に出力し、印字処理を行わせることを特徴とする。
【００１１】
請求項１記載の電子機器によれば、親機の電子メール送受信手段によりインターネット上の電子メール受信されると、前記電子メール送受信手段は、受信した電子メールに関する情報のうち、特定の情報のみを抽出する。そして、通信手段は、当該抽出された特定の情報のみを子機に対して転送する。
また、親機の前記電子メール送受信手段が、前記子機からの印字指令を受けると、前記転送した特定の情報以外の情報、例えば、経由して来たサーバーの名前等の情報を、印字手段に出力する。その結果、印字手段は、当該特定の情報以外の情報を印字する。
この結果、親機と子機の間の送信情報量が減少し、親機と子機の間の通信負荷を軽減するとともに、前記特定の情報以外の情報を確認したい子機の使用者によって、確実に前記特定の情報以外の情報の確認が行われる。
【００１２】
請求項２記載の電子機器は、前記課題を解決するために、請求項１記載の電子機器において、前記特定の情報は、少なくとも送信者、件名、及び電子メール本文であることを特徴とする。
【００１３】
請求項２記載の電子機器によれば、親機と子機の間の送信情報量が減少し、親機と子機の間の通信負荷が軽減されるだけでなく、前記特定の情報は少なくとも送信者、件名、及び電子メール本文の必要十分な情報なので、子機において確実に電子メールの内容が確認される。
【００１４】
【００１５】
【００１６】
請求項３記載の電子機器は、前記課題を解決するために、請求項１または２記載の電子機器において、前記電子メール送受信手段は、前記子機から特定の情報のみを受信し、当該特定の情報に必要な情報を付加して、前記インターネット上に電子メールとして送信することを特徴とする。
【００１７】
請求項３記載の電子機器によれば、子機から特定の情報のみを受信した、前記親機の電子メール送受信手段は、当該特定の情報に必要な情報を付加して、前記インターネット上に電子メールとして送信する。従って、子機から送信した電子メールは確実にインターネット上に電子メールとして送信される。
【００１８】
請求項４記載の電子機器は、前記課題を解決するために、請求項３記載の電子機器において、前記特定の情報は、少なくとも送信先、件名、及び電子メール本文であることを特徴とする。
【００１９】
請求項４記載の電子機器によれば、子機から送信した電子メールは確実にインターネット上に電子メールとして送信されるだけでなく、前記特定の情報は少なくとも送信者、件名、及び電子メール本文の必要十分な情報なので、相手先において確実に電子メールの内容が確認される。
【００２０】
請求項５記載の電子機器における電子メール情報の処理方法は、子機を有し、インターネット上に配されたメールサーバと電子メールの送受信を行う電子機器における当該電子メールの処理方法であって、前記電子機器が前記メールサーバから電子メールの受信を行う工程と、前記電子機器が受信した電子メールに関する情報のうち、特定の情報のみを抽出する工程と、前記電子機器が前記抽出した特定の情報を、電子メールの読み取り及び作成が可能な前記子機に対して転送する工程と、前記電子機器が前記子機からの印字指令に応じて、前記転送した特定の情報以外の情報についての印字処理を行う工程と、を備えたことを特徴とする。
【００２１】
請求項５記載の電子機器における電子メール情報の処理方法によれば、親機においてインターネット上の電子メール受信されると、親機は、受信した電子メールに関する情報のうち、特定の情報のみを抽出する。そして、当該抽出した特定の情報のみを子機に対して転送する。
また、親機において、前記子機からの印字指令を受けると、前記転送した特定の情報以外の情報、例えば、経由して来たサーバーの名前等の情報を印字する。
この結果、親機と子機の間の送信情報量が減少し、親機と子機の間の通信負荷を軽減するとともに、前記特定の情報以外の情報を確認したい子機の使用者によって、確実に前記特定の情報以外の情報の確認が行われる。
【００２２】
請求項６記載の電子機器における電子メール情報の処理方法は、前記課題を解決するために、請求項５記載の電子機器における電子メール情報の処理方法において、前記特定の情報のみを抽出する工程は、前記電子機器が少なくとも送信者、件名、及び電子メール本文の情報を抽出する工程であることを特徴とする。
【００２３】
請求項６記載の電子機器における電子メール情報の処理方法によれば、親機と子機の間の送信情報量が減少し、親機と子機の間の通信負荷が軽減されるだけでなく、前記特定の情報は少なくとも送信者、件名、及び電子メール本文の必要十分な情報なので、子機において確実に電子メールの内容が確認される。
【００２４】
【００２５】
【００２６】
請求項７記載の電子機器における電子メール情報の処理方法は、前記課題を解決するために、請求項５または６記載の電子機器における電子メール情報の処理方法において、前記電子機器が前記子機から特定の情報のみを受信する工程と、前記電子機器が当該特定の情報に必要な情報を付加して、前記インターネット上に電子メールとして送信する工程と、を備えたことを特徴とする。
【００２７】
請求項７記載の電子機器における電子機器によれば、子機から送信先、件名、及び電子メール本文等の特定の情報のみを受信した、前記親機は、当該特定の情報に必要な情報を付加して、前記インターネット上に電子メールとして送信する。従って、子機から送信した電子メールは確実にインターネット上に電子メールとして送信される。
【００２８】
請求項８記載の電子機器における電子メール情報の処理方法は、前記課題を解決するために、請求項７記載の電子機器における電子メール情報の処理方法において、前記子機から特定の情報のみを受信する工程は、前記電子機器が少なくとも送信先、件名、及び電子メール本文の情報を受信する工程であることを特徴とする。
【００２９】
請求項８記載の電子機器によれば、子機から送信した電子メールは確実にインターネット上に電子メールとして送信されるだけでなく、前記特定の情報は、少なくとも送信者、件名、及び電子メール本文の必要十分な情報なので、相手先において確実に電子メールの内容が確認される。
【００３０】
【００３１】
【発明の実施の形態】
以下、本発明の実施の形態を添付図面の図１乃至図７に基づいて説明する。
【００３２】
図１は、本発明が適用された電子機器としてのコードレス親子電話機能付きファクシミリの親機１を示す斜視図である。また、図２は子機を示す平面図である。本実施形態のコードレス親子電話機能付きファクシミリは、ＷＷＷ（World Wide Web）情報等をファクシミリ画像に変換し、あるいは電子メール等をファクシミリ装置で送受信可能なサービス機能を有するものである。
【００３３】
図１に示す親機１は、本体２と、ハンドセット３と、パネル５と、原稿挿入口６と、原稿受け７と、原稿排出口８と、記録紙排出口９と、記録紙トレイ１０と、アンテナ３７とを備えている。
【００３４】
パネル５には、ジョグダイアル４と、数字、カナ、またはアルファベットを入力するためのテンキー２０と、ＬＣＤパネル２３等が備えられている。
【００３５】
本体２の内部には、後述するＣＰＵ等から成る制御部の他に、原稿の読み取りのためのＣＩＳ（Contact Image Sensor）から成るスキャナ、サーマルヘッド方式の画像形成手段、原稿の搬送手段、記録紙の収容手段、及び記録紙の搬送手段等が備えられている。但し、画像形成手段は、インクジェット方式、あるいは電子写真方式であっても良い。
【００３６】
ハンドセット３は、図示しないフックスイッチ上に載置されており、ファクシミリ１は、ハンドセット３が図１に示すようにフックスイッチ上に載置されているオンフック時に、非通信状態に、またユーザーがハンドセット３を持ち上げるオフフック時には、通信状態になるように構成されている。
【００３７】
ジョグダイアル４は、時計回り方向及び反時計回り方向の双方向に回動可能な回動入力手段であり、後述する設定登録モードでは、図２に示すようにＬＣＤパネル２３上に表示されるカーソルを左右方向に移動させるために用いられる。また、通信可能な状態でジョグダイアル４を回動させると、本体２の内部のメモリに電話帳として登録されている送信先情報がＬＣＤパネル２３上に順次表示される。
【００３８】
また、原稿を、原稿挿入口６に挿入し、原稿受け７上に載置した状態で、パネル５上のコピーキー２５を押下すると、コピーモードとなる。コピーモードでは、原稿は、原稿挿入口６から原稿排出口８へと搬送されながら前記ＣＩＳによって読み取られる。更に、読み取られた画像情報は、上述した画像形成手段により記録紙上に可視像として形成され、この記録紙は記録紙排出口９から排出されて、記録紙トレイ１０上に載置される。また、ファクシミリ送信時も同様であり、例えばジョグダイアル４を回動させてＬＣＤパネル２３上に送信先を表示させ、スタートキー２６を押下することにより、前記原稿の読み取りが開始され、ファクシミリ送信が開始される。
【００３９】
テンキー２０は、送信先のファクシミリ番号、あるいは通話先の電話番号を直接入力するために用いられるが、登録／確定キー２２を押下することによって開始される登録設定モード時においては、文字入力用として用いられる。
【００４０】
以上のような親機１の制御部の構成を図２に示す。図２に示すように、親機１は、制御の中枢を司るコントローラ１１、操作パネル５、ＬＣＤパネル２３、呼出ベル１７、スキャナ１９、サーマルヘッド２１、符号／復号器２４、モデム４１、回線制御回路（ＮＣＵ）２７、ハンドセット３、スピーカ３１、マイク３３、無線通信制御回路３５、アンテナ３７、及び切換器３９を備えている。
【００４１】
コントローラ１１は、ＣＰＵ、ＲＯＭ、ＲＡＭ、ＥＥＰＲＯＭ、タイマ等を備える論理演算回路であり、このＣＰＵにより、電子メール情報処理等の各種制御処理を実行する。なお、ＣＰＵが実行する各種制御用のプログラムや制御処理に必要なデータ等は、予めＲＯＭに記憶されている。また、ＲＡＭは、各種制御処理において、ワークエリアやバッファとして使用される。
【００４２】
本実施形態では更に、電子メール情報を記憶させておくための別のメモリ４０を備えており、前記ＣＰＵからのアクセスが可能となっている。
【００４３】
また、コントローラ１１のＥＥＰＲＯＭは、電話帳登録等の情報を記憶しておくために設けられている。加えて、タイマは例えば、操作パネル５における各キーのスキャン等に用いられる。
【００４４】
呼出ベル１７は、外線から着信があった時に呼出ベルを鳴動させるためのものである。なお、この呼出ベル１７は、着信呼出時に１秒間鳴動、２秒間停止を繰り返し、着信を報知する。
【００４５】
スキャナ１９は、この親機１によりファクシミリ送信を行ったり、コピーを行ったりする場合に原稿を読み取るために用いられている。
【００４６】
サーマルヘッド２１は、外部から受信したファクシミリデータを記録紙に印字出力したり、あるいはスキャナ１９で読み取った原稿の画像データを記録紙に印字出力するコピー機能を実行するために備えられている。
【００４７】
符号／復号器２４は、ファクシミリ送信に当たって、スキャナ１９で読み取った画像データをＧ３圧縮形式等のファクシミリ送信用のデータ形式に符号化したり、逆にファクシミリ受信した圧縮形式の画像データを印字出力可能なデータ形式に復号化するために設けられている。
【００４８】
モデム４１及びＮＣＵ２７は、電話回線を介して外部との通信やファクシミリ送受信を行うために備えられている。また、本実施経緯においては、モデム４１は、電子メールの送受信をも行う。
【００４９】
ハンドセット３は、外線を通じて電話をかける際や、外線からの着信呼出時にオフフック操作することにより、電話回線を介して通話を行うものである。
【００５０】
また、スピーカ３１は、ハンズフリー状態での会話を行う際に、相手の音声を出力するために設けられている。
【００５１】
マイク３３は、ハンズフリー状態での会話を行う際に、利用者の音声を入力するために設けられている。
【００５２】
また、無線通信制御回路３５は、アンテナ３７を介して、親機１と子機５０との間で無線通信を行うために設けられている。
【００５３】
更に、切換器３９は、モデム４１に対して、マイク３３から音声入力と、アンテナ３７で受信した子機５０からの音声入力のいずれかを切換入力するものである。
【００５４】
次に、図３に子機５０の構成を示す。子機５０は、本体６９の上部にＬＣＤパネル５５が配置されると共に、その下側に、操作パネル５３として、多数のキー群７０が配置されている。これらのキー群７０のうちの、右下に配置されているキャッチ／機能キー７４を押下することによって、この子機５０における処理モードを、通常の通話モードあるいは電子メール送受信モードに切り換えることができるようになっている。このキャッチ／機能キー７４はまた、外線通話中に他から着信があった場合に、キャッチホン機能を起動するためにも用いられる。
【００５５】
その他、キー群７０の各キーには、その表面に記載されている数値を入力するためのテンキー、オフフック操作を行うための外線キー、オンフック操作を行うための切断キー、外線通話中に押下すると保留モードとし、通常に押下すると内線通話モードとするための保留／内線キー、ハンズフリーな状態での通話に切り換えるためのスピーカホン、リダイヤルやポーズ入力を行うためのリダイヤル／ポーズキー等が備えられている。
【００５６】
また、テンキーには、電子メールのメッセージを入力するための文字入力機能が割当られている。
【００５７】
次に、図４に子機５０の制御部の構成を示す。子機５０は、図４に示すように、制御の中枢を司るコントローラ５１、操作パネル５３、ＬＣＤパネル５５、呼出ベル５７、スピーカ６１、マイク６３、無線通信制御回路６５及びアンテナ６７を備えている。
【００５８】
コントローラ５１は、ＣＰＵ、ＲＯＭ、ＲＡＭ、ＥＥＰＲＯＭ、タイマ等を備える論理演算回路であり、このＣＰＵにより、電子メール情報処理等の各種制御処理を実行する。なお、ＣＰＵが実行する各種制御用のプログラムや制御処理に必要なデータ等は、予めＲＯＭに記憶されている。また、ＲＡＭは、各種制御処理において、ワークエリアやバッファとして使用される。
【００５９】
本実施形態では更に、電子メール情報を記憶させておくための別のメモリ６４を備えており、前記ＣＰＵからのアクセスが可能となっている。
【００６０】
ＬＣＤパネル５５は、発呼者の電話番号を表示したり、電子メールのメッセージを表示等を行うために設けられている。なお、呼出ベル５７は、外線から着信があった時に呼出ベルを鳴動をさせるためのものである。この呼出ベル５７は、着信呼出時に１秒間鳴動、２秒間停止を繰り返し着信を報知する。
【００６１】
スピーカ６１は、外線との通話や親機１との内線通話などの際に、相手の音声を出力するために設けられている。また、マイク６３は、逆に外線通話や内線通話の際に子機５０側の音声を検出して外線又は親機１０へと伝達するために設けられている。また、無線通信制御回路６５は、アンテナ６７を介して子機５０と親機１との間で無線通信を行うために設けられている。
【００６２】
次に、図５及び図６のフローチャート並びに図７の電子メール情報を示す図に基づいて本実施形態における電子メール情報の処理方法について説明する。
【００６３】
まず、親機１において電子メールを受信し、これを子機５０へ転送する場合について説明する。なお、本実施形態の親機１は、上述したように、ファクシミリ用のモデムのみを備えているので、通常のパーソナルコンピュータ等のようなデータモデムを用いて行う電子メール送受信を行うことはできない。そこで、予めプロバイダとファクシミリモデムにより送受信する電子メール用のコマンドを定めておき、このコマンドの送受信をプロバイダと親機との間で行うことにより、電子メールの送受信が可能となっている。
【００６４】
まず、親機１のコントローラ１１は、外線からの着信があり、それが前記プロバイダからの電子メール送信コマンドであるか否かを判断する（ステップＳ１）。
【００６５】
前記電子メール送信コマンドではない場合には（ステップＳ１；ＮＯ）、他の処理を行い（ステップＳ２）、終了後に再びコマンドの待機状態となる。
【００６６】
一方、前記電子メール送信コマンドであった場合には、プロバイダから送信される電子メール情報を受信し、メモリ４０に格納する（ステップＳ３）。この時に送信されて来る電子メール情報は、図７に示すように、前記プロバイダのメールサーバに関する情報７０、前記電子メールを前記メールサーバに送信した相手側のメールサーバに関する情報７１、相手先のメッセージＩＤ７２、送信者の名前及びメールアドレスの情報７３、宛先の名前及びメールアドレスの情報７４、件名情報７５、送信日付情報７６、送信側のメールのデータ形式情報７７、メッセージ本文の形式情報７８、キャラクタセット情報７９、送信メッセージのエンコード情報８０、送信側の電子メール作成及び送信プログラムに関する情報８１等と、メッセージ本文の情報とを含んでいる。
【００６７】
これだけの膨大なデータ全てを子機５０に送信しようとすると、親機１と子機５０間の通信負荷が増大し、親機１と他の子機との通信に支障を生ずるおそれがある。また、子機５０にとっては不要な情報を送信することにより、子機５０のメモリ６４を不要に圧迫することになる。
【００６８】
そこで、本実施形態では、以上のような膨大なデータの中から、送信者の名前及びメールアドレスの情報７３、宛先の名前及びメールアドレスの情報７４、件名情報７５、送信日付情報７６、並びにメッセージ本文の情報のみを抽出する（ステップＳ５）。
【００６９】
そして、このようにして抽出した特定の情報のみを子機５０に送信する（ステップＳ６）。
【００７０】
従って、子機５０側においては、電子メールの送信者、送信日時、及びメッセージ本文等の必要な情報のみを確認することができ、メモリ６４が不要に圧迫されることがない。また、親機１と子機５０間の通信負荷も軽減する。
【００７１】
次に、図６のフローチャートに基づいて、子機５０で作成した電子メールメッセージを、親機１において受信し、親機１から電子メールとして送信する場合について説明する。この場合、本実施形態の親機１は、予めプロバイダとファクシミリモデムにより送信する電子メール用のコマンドを定めておき、このコマンドの送受信をプロバイダと親機との間で行うことにより、電子メールの送信が可能となっている。
【００７２】
まず、子機５０において、前記テンキーを用いて電子メールのメッセージ及び宛名情報並びに必要に応じて件名情報を入力する。本実施形態においては、子機５０において入力する情報はこれらのみとする。次に、子機５０から親機１に対する電子メールメッセージの送信機能を仕様して、親機１に対して当該メッセージを送信する。
【００７３】
一方、親機１のコントローラ１１は、外線からの着信待機、及び子機からの通話待機状態にあり、例えば子機から電子メールメッセージの送信コマンドが送信されたか否かを判断する（ステップＳ１０）。
【００７４】
前記電子メールメッセージの送信コマンドではない場合には（ステップＳ１０；ＮＯ）、他の処理を行い（ステップＳ１１）、終後に再びコマンドの待機状態となる。
【００７５】
しかし、前記電子メールメッセージの送信コマンドであった場合には（ステップＳ１０；ＹＥＳ）、子機５０から送信される電子メールメッセージ及び宛名情報並びに件名情報を受信し、メモリ４０に格納する（ステップＳ１２）。このままでは、インターネット上で送信する際に必要な情報が不足しているので、親機１のコントローラ１１は、予めメモリ等に記憶されている必要な情報を付加する（ステップＳ１３）。
【００７６】
例えば、図７に示す送信側のメッセージＩＤ７２、送信者の名前及びメールアドレスの情報７３、送信日付情報７６、送信側のメールのデータ形式情報７７、メッセージ本文の形式情報７８、キャラクタセット情報７９、送信メッセージのエンコード情報８０、送信側の電子メール作成及び送信プログラムに関する情報８１等を付加する。
【００７７】
そして、このように情報が付加されて送信可能となった電子メールを、プロバイダとの間で取り決めたコマンドを用いてファクシミリモデム４１により送信する（ステップＳ１４）。
【００７８】
従って、子機５０側においては、電子メールの本文、宛名情報、及び件名情報等の必要な情報のみを送信すれば良いので、不要な膨大な情報をメモリ６４に記憶させておく必要がない。また、子機５０と親機１との間の通信負荷も軽減する。
【００７９】
以上のように、本実施形態によれば、電子メールを受信した場合には、親機１から子機５０へは必要な情報のみを抽出して送信し、電子メールを送信する場合には、子機５０から送信されたメッセージ等に親機１において必要な情報を付加して電子メールとして送信するので、親機１と子機５０間の通信負荷を軽減しつつ、良好に電子メールの送受信を行うことができる。
【００８０】
また、他の実施形態としては、例えば、子機５０の使用者が、親機１から送信されてきた情報だけでなく、更に詳しい情報についても確認したい場合には、親機１において抽出されなかった他の情報をコピー機能を使って印字するように子機５０から指示するようにしても良い。
【００８１】
この指示を受けた親機１は、メモリ４０に蓄積してある前記他の情報を含めて記録紙に印字を行えば良い。
【００８２】
なお、本実施形態では、本発明の電子機器の一例として、コードレス親子電話機能付きファクシミリを用いた例について説明したが、本発明はこのような構成に限定されるものではなく、例えば、ＬＡＮ等のネットワーク上に接続されたクライアント機からサーバーを経由して電子メールを送信するシステムに適用しても良い。
【００８３】
【発明の効果】
以上説明したように、請求項１記載の電子機器及び請求項５記載の電子機器における電子メール情報の処理方法によれば、親機において受信した電子メールに関する情報のうち、特定の情報のみを抽出し、当該抽出された特定の情報のみを子機に転送するとともに、子機からの印字指令を受信した場合には、前記転送した特定の情報以外の情報を印字処理するようにしたので、親機と子機の間の送信情報量を著しく減少させることができるとともに、親機と子機の間の通信負荷を軽減することができ、子機の使用者が、前記特定の情報以外の情報を確認したい場合には、確実に前記特定の情報以外の情報を確認させることができる。
【００８４】
請求項２記載の電子機器及び請求項６記載の電子機器における電子メール情報の処理方法によれば、親機と子機の間の送信情報量を著しく減少させることができ、親機と子機の間の通信負荷を軽減することができるだけでなく、前記特定の情報は、少なくとも送信者、件名、及び電子メール本文の必要十分な情報なので、子機において確実に電子メールの内容を確認することができる。
【００８５】
【００８６】
請求項３記載の電子機器及び請求項７記載の電子機器における電子メール情報の処理方法によれば、子機から特定の情報のみを受信し、当該特定の情報に必要な情報を付加して、前記インターネット上に電子メールとして送信するようにしたので、親機と子機の間の通信負荷を軽減しつつ、子機から送信した電子メールを確実にインターネット上に電子メールとして送信することができる。
【００８７】
請求項４記載の電子機器及び請求項８記載の電子機器における電子メール情報の処理方法によれば、親機と子機の間の通信負荷を軽減しつつ、送信される電子メールは少なくとも送信先、件名、及び電子メール本文を含むので、確実にインターネット上に電子メールとして送信することができ、相手先に内容を確実に確認させることができる。
【図面の簡単な説明】
【図１】本発明の一実施形態である親機の外観を示す斜視図である。
【図２】図１の親機における制御部の構成を示すブロック図である。
【図３】本発明の一実施形態である子機の外観を示す斜視図である。
【図４】図３の子機における制御部の構成を示すブロック図である。
【図５】図１の親機における電子メールの受信処理を示すフローチャートである。
【図６】図１の親機における電子メールの送信処理を示すフローチャートである。
【図７】電子メールが備えている各種の情報を示す図である。
【符号の説明】
１…親機
１１…コントローラ
４０…メモリ
５０…子機
５１…コントローラ
６４…メモリ
【図１】
0003620400.tif 000002
【図２】
0003620400.tif 000003
【図３】
0003620400.tif 000004
【図４】
0003620400.tif 000005
【図５】
0003620400.tif 000006
【図６】
0003620400.tif 000007
【図７】
0003620400.tif 000008